(57)【要約】【課題】プラントを構成する機器の状況を表すシンボルの利用を容易に設定することができる監視装置、監視システム及び画像決定方法を提供することである。【解決手段】実施形態の監視装置は、画像情報記憶部と、信号情報記憶部と、画像決定部とを持つ。画像情報記憶部は、機器の状況を示す信号の識別情報である信号識別情報と初期設定の表示形式により機器の状況を示す画像であるデフォルト画像とを対応付けて記憶する。信号情報記憶部は、信号識別情報と画像の表示形式を特定する表示形式情報とを対応付けて記憶する。画像決定部は、取得された信号が示す機器の状況が所定の状況である場合に、前記信号の信号識別情報に対応したデフォルト画像を、前記信号識別情報に対応した表示形式情報により特定される表示形式で表示することを決定する。【選択図】図１
2017045414.tif 000002
【特許請求の範囲】
【請求項１】
機器の状況を示す信号の識別情報である信号識別情報と初期設定の表示形式により前記機器の状況を示す画像であるデフォルト画像とを対応付けて記憶する画像情報記憶部と、
前記信号識別情報と前記画像の表示形式を特定する表示形式情報とを対応付けて記憶する信号情報記憶部と、
取得された信号が示す機器の状況が所定の状況である場合に、前記信号の信号識別情報に対応した前記デフォルト画像を、前記信号識別情報に対応した前記表示形式情報により特定される表示形式で表示することを決定する画像決定部と、
を備える監視装置。
【請求項２】
前記画像情報記憶部は、前記信号識別情報と前記デフォルト画像を前記表示形式情報により特定される表示形式で表示すると判断される条件とを対応付けてさらに記憶し、
前記画像決定部は、
取得された信号が示す機器の状況が前記信号の信号識別情報に対応した前記条件を満たすか否かを判断する機器状況取得部と、
前記機器状況取得部により前記条件を満たすと判断された場合に、前記信号識別情報に対応した前記デフォルト画像の表示形式を、前記信号識別情報に対応した前記表示形式情報により特定される表示形式に加工する加工部とを有する、
請求項１に記載の監視装置。
【請求項３】
前記表示形式情報は、故障の程度を示し、
前記条件は、故障が発生したと判断される前記機器の状況を示し、
前記加工部は、前記機器状況取得部により前記条件を満たすと判断された場合、前記デフォルト画像の表示形式を、前記表示形式情報が示す前記程度の故障が発生していることを表す表示形式に加工する、
請求項２に記載の監視装置。
【請求項４】
前記加工部は、前記機器状況取得部により前記条件を満たすと判断された場合、前記デフォルト画像の表示色を、前記表示形式情報が示す前記程度の故障を表す色に加工する、
請求項３に記載の監視装置。
【請求項５】
機器の状況を示す信号の識別情報である信号識別情報と初期設定の表示形式により前記機器の状況を表す数値を表示する画像であるデフォルト画像とを対応付けて記憶する画像情報記憶部と、
前記信号識別情報と数値の表示形式を示す表示形式情報とを対応付けて記憶する信号情報記憶部と、
取得された信号の信号識別情報に対応した前記デフォルト画像により、前記信号から取得した機器の状況を表す数値を、前記信号識別情報に対応した前記表示形式情報が示す数値の表示形式で表示することを決定する画像決定部と、
を備える監視装置。
【請求項６】
前記表示形式情報は、表示可能な数値の範囲と、表示する小数点以下の桁数と、数値の単位とのうち１以上を含む、
請求項５に記載の監視装置。
【請求項７】
機器の状況を示す信号の識別情報である信号識別情報と初期設定の表示形式により前記機器の状況を示す画像であるデフォルト画像とを対応付けて記憶する画像情報記憶部と、
前記信号識別情報と前記画像の表示形式を特定する表示形式情報とを対応付けて記憶する信号情報記憶部と、
機器の状況を示す前記信号を受信する信号受信部と、
前記信号が示す機器の状況が所定の状況である場合に、前記信号の信号識別情報に対応した前記デフォルト画像を、前記信号識別情報に対応した前記表示形式情報により特定される表示形式で表示することを決定する画像決定部と、
前記画像決定部が表示を決定した前記デフォルト画像を用いて、前記機器の状態を表示させる監視画面のデータを生成する画面生成部と、
を備える監視システム。
【請求項８】
機器の状況を示す信号の識別情報である信号識別情報と初期設定の表示形式により前記機器の状況を表す数値を表示する画像であるデフォルト画像とを対応付けて記憶する画像情報記憶部と、
前記信号識別情報と数値の表示形式を示す表示形式情報とを対応付けて記憶する信号情報記憶部と、
機器の状況を示す前記信号を受信する信号受信部と、
前記信号の信号識別情報に対応した前記デフォルト画像により、前記信号から取得した機器の状況を表す数値を、前記信号識別情報に対応した前記表示形式情報が示す数値の表示形式で表示することを決定する画像決定部と、
前記画像決定部が表示を決定した前記デフォルト画像を用いて、前記機器の状態を表示させる監視画面のデータを生成する画面生成部と、
を備える監視システム。
【請求項９】
機器の状況を示す信号の識別情報である信号識別情報と初期設定の表示形式により前記機器の状況を示す画像であるデフォルト画像とを対応付けて記憶する画像情報記憶部と、前記信号識別情報と前記画像の表示形式を特定する表示形式情報とを対応付けて記憶する信号情報記憶部とを有する監視装置が実行する画像決定方法であって、
取得された信号が示す機器の状況が所定の状況である場合に、前記信号の信号識別情報に対応した前記デフォルト画像を、前記信号識別情報に対応した前記表示形式情報により特定される表示形式で表示することを決定する画像決定ステップ、
を有する画像決定方法。
【請求項１０】
機器の状況を示す信号の識別情報である信号識別情報と初期設定の表示形式により前記機器の状況を表す数値を表示する画像であるデフォルト画像とを対応付けて記憶する画像情報記憶部と、前記信号識別情報と数値の表示形式を示す表示形式情報とを対応付けて記憶する信号情報記憶部とを有する監視装置が実行する画像決定方法であって、
取得された信号の信号識別情報に対応した前記デフォルト画像により、前記信号から取得した機器の状況を表す数値を、前記信号識別情報に対応した前記表示形式情報が示す数値の表示形式で表示することを決定する画像決定ステップ、
を有する画像決定方法。
【発明の詳細な説明】
【技術分野】
【０００１】
本発明の実施形態は、監視装置、監視システム及び画像決定方法に関する。
【背景技術】
【０００２】
プラントの監視及び制御を行う監視制御装置は、プラントフローを描いたグラフィック画面を表示する。グラフィック画面には、プラントにおいて監視や制御を行う対象の機器(ポンプ、弁、センサ等)の状況を表すシンボルが配置されている。各シンボルには、機器の状態、故障、計測等の信号が割付けられている。監視制御装置は、各信号がどのようなグレードの故障に対応するかを示す信号情報を記憶しており、信号情報が変更された場合は、その変更後の信号情報に応じてシンボルを変化させて表示する。このシンボルの変化を実現するためには、シンボルへ信号割付を行うエンジニアリング業務が必要となる。例えば、信号情報に、ポンプが故障であることを示す信号ＡがＯＮであるときの故障のグレードを、重故障から軽故障に変更する設定を行ったとする。この場合、ポンプが重故障であることを表すシンボルを軽故障であることを表すシンボルに変更する。
【０００３】
信号情報によって、選択されるシンボルはほぼ決定される。しかしながら、従来のエンジニアリングでは、信号情報とシンボルがリンクしていないため、信号情報を確認しながら、シンボルの色や形を選択していく必要があった。さらに、割付後に信号情報を変更する際には、信号情報とグラフィックシンボルがアンマッチとならないように、シンボルを変更する必要がある。従って、エンジニアリング効率が良くない場合があった。
【０００４】
また、監視制御装置を使用するオペレータは、オンライン状態(監視制御装置が起動している状態)で信号情報の変更を行うことが出来る。しかし、信号情報とシンボルとはリンクしていないため、オンライン状態ではシンボルの変更は出来ず、別途シンボルの変更を行わなければならない場合があった。
【先行技術文献】
【特許文献】
【０００５】
【特許文献１】特開２００４−１５１９９７号公報
【発明の概要】
【発明が解決しようとする課題】
【０００６】
本発明が解決しようとする課題は、プラントを構成する機器の状況を表すシンボルの利用を容易に設定することができる監視装置、監視システム及び画像決定方法を提供することである。
【課題を解決するための手段】
【０００７】
実施形態の監視装置は、画像情報記憶部と、信号情報記憶部と、画像決定部とを持つ。画像情報記憶部は、機器の状況を示す信号の識別情報である信号識別情報と初期設定の表示形式により機器の状況を示す画像であるデフォルト画像とを対応付けて記憶する。信号情報記憶部は、信号識別情報と画像の表示形式を特定する表示形式情報とを対応付けて記憶する。画像決定部は、取得された信号が示す機器の状況が所定の状況である場合に、前記信号の信号識別情報に対応したデフォルト画像を、前記信号識別情報に対応した表示形式情報により特定される表示形式で表示することを決定する。
【図面の簡単な説明】
【０００８】
【図１】実施形態の監視制御システムの構成を示す機能ブロック図。
【図２】実施形態の監視制御装置が表示させる監視画面の表示例を示す図。
【図３】実施形態のデジタル信号の信号受信状況管理情報の例を示す図。
【図４】実施形態のデジタル信号の信号情報の例を示す図。
【図５】実施形態のデジタル信号のグラフィック情報の例を示す図。
【図６】実施形態のアナログ信号の信号受信状況管理情報の例を示す図。
【図７】実施形態のアナログ信号の信号情報の例を示す図。
【図８】実施形態のアナログ信号のグラフィック情報の例を示す図。
【図９】実施形態の監視制御装置におけるデジタル信号のグラフィック決定処理を示すフロー図。
【図１０】実施形態の監視制御装置におけるデジタル信号のグラフィック決定処理の具体例を示す図。
【図１１】実施形態の監視制御装置におけるデジタル信号のグラフィック決定処理の具体例を示す図。
【図１２】実施形態の監視制御装置におけるデジタル信号のグラフィック決定処理の具体例を示す図。
【図１３】実施形態の監視制御装置におけるアナログ信号のグラフィック決定処理を示すフロー図。
【図１４】実施形態の監視制御装置におけるアナログ信号のグラフィック決定処理の具体例を示す図。
【図１５】実施形態の監視制御装置におけるアナログ信号のグラフィック決定処理の具体例を示す図。
【発明を実施するための形態】
【０００９】
以下、実施形態の監視装置、監視システム及び画像決定方法を、図面を参照して説明する。
【００１０】
図１は、監視制御システム１０の構成を示す機能ブロック図であり、本実施形態と関係する機能ブロックのみを抽出して示してある。同図に示すように監視制御システム１０は、プラント機器１と、コントローラ２と、監視制御装置３とを備える。同図においては、コントローラ２を１台のみ示しているが、複数台が監視制御装置３に接続され得る。監視制御システム１０は、実施形態の監視システムに相当し、監視制御装置３は、実施形態の監視装置に相当する。
【００１１】
プラント機器１は、プラントを構成する監視制御対象の各種機器である。プラント機器１は、例えば、ポンプ、弁、各種センサ（温度計、水位計、電力計、電圧計など）であるが、これらに限定されない。
【００１２】
コントローラ２は、プラント機器１を制御する機器制御装置である。コントローラ２は、オペレータが入力した指示に応じた制御信号を監視制御装置３から受信し、受信した制御信号に従ってプラント機器１を制御する。また、コントローラ２は、プラント機器１の状況を表す信号を監視制御装置３に送信する。例えば、信号には、所定の状況が発生したか否かを示すデジタル信号や、状況を表す値を通知するアナログ信号がある。デジタル信号には、例えば、プラント機器１が稼働しているか否かを示す信号、停止しているか否かを示す信号、故障しているか否かを示す信号、プラント機器１において過電流を検出したか否かを示す信号などがある。アナログ信号には、例えば、温度を表す信号、水位を表す信号、電力を表す信号、電圧を表す信号、所定の物質の濃度を表す信号などがある。各信号には、信号ＩＤが割り当てられる。信号ＩＤは、どのような信号であるかを示す信号識別情報である。例えば、プラント機器１として監視制御対象のポンプが複数ある場合でも、ポンプが稼働状態であるか否かを示す信号の信号ＩＤは、それら複数のポンプそれぞれで異なる。また、同一のプラント機器１に関する状況を表す信号であっても、異なる種類の状況を表す信号には、異なる信号ＩＤが割り当てられる。例えば、プラント機器１が水槽である場合、その水槽の水温を表す信号と、その水槽の水位を表す信号とには、異なる信号ＩＤが割り当てられる。
【００１３】
監視制御装置３は、記憶部３１と、信号受信部３２と、入力部３３と、画面生成部３４と、シンボル決定部３５（画像決定部）と、表示部３６とを備える。
【００１４】
記憶部３１は、各種情報を記憶し、読み出しが要求された情報を出力する。記憶部３１は、信号受信状況記憶部３１１と、信号情報記憶部３１２と、グラフィック情報記憶部３１３（画像情報記憶部）とを備える。
信号受信状況記憶部３１１は、信号受信状況管理情報を記憶する。信号受信状況管理情報は、各信号により受信したコントローラ２からの入力値を示す。デジタル信号の場合、例えば、入力値はデジタル値であり、ＯＮ又はＯＦＦ、あるいは、０又は１などが設定される。アナログ信号の場合、入力値は数値である。
【００１５】
信号情報記憶部３１２は、信号情報を記憶する。信号情報は、プラント機器１の状況を表す信号の信号ＩＤと、表示形式情報とを対応付けた情報である。表示形式情報は、シンボルの表示形式を特定する情報、あるいは、表示形式自体を示す情報である。デジタル信号の信号情報の場合、故障の程度によってシンボルの表示色が定まる。そのため、表示形式情報には、故障の程度を表すグレードが設定される。アナログ信号の信号情報の場合、表示形式情報は、数値表示形式を示す。数値表示形式は、アナログ信号に基づいて得られる数値の表示形式であり、表示可能な数値の範囲、表示する桁、及び表示する数値の単位のうち１以上を含む。ただし、表示形式情報はこれらに限定されない。
【００１６】
グラフィック情報記憶部３１３は、グラフィック情報を記憶する。グラフィック情報は、デフォルトシンボルのグラフィックと、そのデフォルトシンボルに割付けられている信号の信号ＩＤとを示す。デジタル信号の場合、デフォルトシンボルのグラフィックは、例えば、デフォルト（初期設定）の表示色によりシンボルを表示させる画像データである。また、アナログ信号の場合、デフォルトシンボルのグラフィックは、デフォルト（初期設定）の数値表示形式により数値を表示させるシンボルの画像データである。上記のように、デジタル信号の場合、表示形式情報が示す故障の程度に基づいてシンボルの表示色が決まる。そこで、デジタル信号のグラフィック情報の場合、信号の状態がＯＮのときに故障と判断するのか、ＯＦＦの時に故障と判断するのかを定義する条件がさらに設定される。つまりこの条件は、デフォルトシンボルを表示形式情報により特定される表示形式で表示することを判断するための条件を示す。
【００１７】
信号受信部３２は、コントローラ２からプラント機器１の状況を表す信号を受信し、受信した信号に基づいて、信号受信状況記憶部３１１が記憶する信号受信状況管理情報を更新する。
【００１８】
入力部３３は、キーボード、ポインティングデバイス（マウス等）、ボタン、タッチパネル等の既存の入力装置を用いて構成される。
【００１９】
画面生成部３４は、入力部３３によりプラントフローなどの監視画面の表示指示が入力されると、表示が指示された監視画面の画面データに埋め込んで表示させるグラフィックを決定するようシンボル決定部３５に指示する。監視画面は、例えば、プラントにおいて監視や制御を行う対象の機器の状況を表すシンボルが配置されたグラフィック画面である。グラフィック情報記憶部３１３が記憶する監視画面の定義情報には、シンボルが画面内のどの位置に配置されるかという情報が含まれている。さらに、グラフィック情報記憶部３１３には、各監視画面のシンボルに対応した信号ＩＤを示す情報が登録されている。画面生成部３４は、表示が指示された監視画面に配置するシンボルに対応した信号ＩＤをグラフィック情報記憶部３１３から読み出してシンボル決定部３５に出力し、シンボルのグラフィックを決定するよう指示する。つまり、画面生成部３４は、表示対象のプラント機器１の状況を表す信号の信号ＩＤをシンボル決定部３５に通知する。画面生成部３４は、シンボル決定部３５が決定したシンボルのグラフィックを配置した監視画面の画面データを生成し、表示部３６に表示させる。
【００２０】
シンボル決定部３５は、画面生成部３４から受信した信号ＩＤの信号から取得したプラント機器１の状況の表示に用いるシンボルのグラフィックを決定する。シンボル決定部３５は、デフォルトシンボル取得部３５１と、機器状況取得部３５２と、加工部３５３とを備える。
デフォルトシンボル取得部３５１は、画面生成部３４から受信した信号ＩＤに対応したデフォルトシンボルのグラフィックを、グラフィック情報記憶部３１３に記憶されるグラフィック情報から取得する。
機器状況取得部３５２は、画面生成部３４から受信した信号ＩＤにより特定される信号の入力値を、信号受信状況記憶部３１１に記憶される信号受信状況管理情報から読み出す。機器状況取得部３５２は、読み出した入力値に基づいて、プラント機器１の状況を取得する。
加工部３５３は、画面生成部３４から受信した信号ＩＤに対応した表示形式情報を信号情報記憶部３１２に記憶される信号情報から読み出す。加工部３５３は、表示形式情報から得られる表示形式により、デフォルトシンボル取得部３５１が取得したデフォルトシンボルのグラフィックを加工する。加工部３５３は、加工により生成されたシンボルのグラフィックを、受信した信号ＩＤについて決定したグラフィックとして画面生成部３４に出力する。
【００２１】
表示部３６は、ＣＲＴ（Cathode Ray Tube）ディスプレイ、液晶ディスプレイ、有機ＥＬ（Electro Luminescence）ディスプレイ等の画像表示装置である。表示部３６は、テキストや画像を表示する。
【００２２】
監視制御装置３は、１台以上のコンピュータサーバにより実現される。例えば、監視制御装置３を、サーバコンピュータ（監視制御サーバ）と、クライアントコンピュータ（監視制御端末）により構成することができる。サーバコンピュータとクライアントコンピュータは、ＬＡＮ（Local Area Network）などの私設網により接続されてもよく、インターネットなどの公衆網により接続されてもよい。サーバコンピュータ及びクライアントコンピュータが、監視制御装置３のいずれの機能部を有するかについては任意とすることができ、一つの機能部がサーバコンピュータ及びクライアントコンピュータにより実現されてもよい。例えば、サーバコンピュータが、記憶部３１と、信号受信部３２とを有し、クライアントコンピュータが記憶部３１と、入力部３３と、画面生成部３４と、シンボル決定部３５と、表示部３６とを有してもよい。このとき、サーバコンピュータとクライアントコンピュータが、記憶部３１の情報の全てまたは一部を重複して記憶してもよく、重複がないように記憶してもよい。ただし、サーバコンピュータは、少なくとも信号受信状況記憶部３１１を備える。また、例えば、サーバコンピュータが、記憶部３１と、信号受信部３２と、画面生成部３４と、シンボル決定部３５とを有し、クライアントコンピュータが入力部３３と、表示部３６とを有してもよく、画面生成部３４をクライアントコンピュータが有してもよい。
【００２３】
図２は、監視制御装置３が表示させる監視画面の表示例を示す図である。
同図に示す監視画面は、プラントを構成する第一ポンプ、第二ポンプ、水槽などを含むプラント機器１の状況を表示する。グラフィックＧ１は、第一ポンプに重故障が発生していることを表すシンボルの画像である。グラフィックＧ２は、第二ポンプに故障が発生していないことを表すシンボルの画像である。グラフィックＧ３は、水槽における水位を表示するシンボルの画像である。
【００２４】
図３は、デジタル信号の信号受信状況管理情報Ｄ１の例を示す図である。
信号受信状況管理情報Ｄ１は、各信号の信号ＩＤと、信号ＩＤにより特定される信号の入力値とを対応付けた情報である。同図では、入力値に、信号の状態がＯＮであるかＯＦＦであるかが設定される。
【００２５】
図４は、デジタル信号の信号情報Ｄ２の例を示す図である。
信号情報Ｄ２は、各信号の信号ＩＤと、信号ＩＤにより特定される信号の属性と、信号ＩＤにより特定される信号により故障が検出された場合の故障グレードとを対応付けた情報である。故障グレードには、例えば、重故障、軽故障、…などの段階がある。
【００２６】
図５は、デジタル信号のグラフィック情報Ｄ３の例を示す図である。
グラフィック情報Ｄ３は、デフォルトシンボルのグラフィックと、デフォルトシンボルに割付けられた信号ＩＤと、その信号ＩＤにより特定される信号を用いて故障の発生と判断するときの条件とを対応付けた情報である。
【００２７】
図６は、アナログ信号の信号受信状況管理情報Ｄ４の例を示す図である。
信号受信状況管理情報Ｄ４は、各信号の信号ＩＤと、その信号により受信したコントローラ２からの入力値を示す。
【００２８】
図７は、アナログ信号の信号情報Ｄ５の例を示す図である。
信号情報Ｄ５は、各信号の信号ＩＤと、信号ＩＤにより特定される信号に基づいて得られた値（工学値）の数値表示形式と、コントローラ２からの入力値の数値範囲とを示す。同図では、数値表示形式は、工学値の数値範囲を表すレンジと、表示させる小数点以下の桁数（小数点）と、数値の単位とを示す。入力値や工学値の数値範囲は、上限の値と下限の値とにより示される。コントローラ２からの入力値は、入力値の数値範囲と工学値の数値範囲との対応に基づいて工学値に変換される。
【００２９】
図８は、アナログ信号のグラフィック情報Ｄ６の例を示す図である。
グラフィック情報Ｄ６は、デフォルトシンボルのグラフィックと、そのデフォルトシンボルに割付けられた信号ＩＤとを示す。デフォルトシンボルのグラフィックは、デフォルトの数値表示形式（レンジ上限「９９９」、小数点以下の桁数「０」、単位「ｘ」）により数値を表示させるシンボルの画像データである。
【００３０】
続いて、監視制御システム１０の動作について説明する。
監視制御装置３の信号受信部３２は、コントローラ２からプラント機器１の状況を表す信号を受信し、受信した信号に基づいて、信号受信状況記憶部３１１が記憶する信号受信状況管理情報を更新する処理を随時行っている。入力部３３により監視画面の表示指示が入力されると、画面生成部３４は、表示が指示された監視画面の定義情報をグラフィック情報記憶部３１３から読み出し、監視画面に埋め込んで表示させるシンボルの情報を取得する。画面生成部３４は、取得したシンボルの情報に対応付けられた信号ＩＤをグラフィック情報記憶部３１３から読み出してシンボル決定部３５に出力し、グラフィックの決定を指示する。シンボル決定部３５は、画面生成部３４から受信した信号ＩＤのうち、デジタル信号の信号ＩＤそれぞれについて、後述する図９に示すグラフィック決定処理を行い、アナログ信号の信号ＩＤそれぞれについて、後述する図１３に示すグラフィック決定処理を行う。
【００３１】
図９は、監視制御装置３におけるデジタル信号のグラフィック決定処理を示すフロー図である。
上述したように、画面生成部３４は、監視画面の定義情報から取得したシンボルに対応付けられた信号ＩＤをグラフィック情報記憶部３１３から読み出してシンボル決定部３５に出力する。デフォルトシンボル取得部３５１は、画面生成部３４から受信した信号ＩＤに対応したデフォルトシンボルのグラフィックをグラフィック情報記憶部３１３に記憶されているグラフィック情報Ｄ３から取得する（ステップＳ１０５）。
【００３２】
機器状況取得部３５２は、画面生成部３４から受信した信号ＩＤに対応した条件をグラフィック情報Ｄ３から取得する（ステップＳ１１０）。機器状況取得部３５２は、画面生成部３４から受信した信号ＩＤにより特定される信号の入力値を、信号受信状況記憶部３１１に記憶されている信号受信状況管理情報Ｄ１から取得する（ステップＳ１１５）。機器状況取得部３５２は、ステップＳ１１５において取得した入力値が、ステップＳ１１０において取得した条件と合致するか否かを判断する（ステップＳ１２０）。
【００３３】
機器状況取得部３５２が、入力値と条件とが一致しないと判断した場合（ステップＳ１２０：ＮＯ）、加工部３５３は、ステップＳ１２５の処理を実行する。すなわち、加工部３５３は、グラフィック情報記憶部３１３に予め信号ＩＤと対応付けて記憶される故障発生なしを表すシンボルのグラフィックを読み出す（ステップＳ１２５）。なお、加工部３５３は、ステップＳ１０５においてデフォルトシンボル取得部３５１が読み出したグラフィックが表すデフォルトシンボルを、故障発生なしを表す色により表示させるグラフィックに加工してもよい。加工部３５３は、故障発生なしを表すシンボルのグラフィックを画面生成部３４に出力する。画面生成部３４は、監視画面の画面データに、加工部３５３から出力されたグラフィックを配置する。
【００３４】
一方、機器状況取得部３５２が、入力値と条件とが一致すると判断した場合（ステップＳ１２０：ＹＥＳ）、加工部３５３は、信号ＩＤに対応した故障グレードを、信号情報Ｄ２から取得する（ステップＳ１３０）。加工部３５３は、シンボルの色を、故障グレードに対応した色に決定する（ステップＳ１３５）。例えば、故障グレードが重故障であればシンボルの色を赤と決定し、軽故障であればシンボルの色を黄色と決定する。
【００３５】
加工部３５３は、ステップＳ１０５においてデフォルトシンボル取得部３５１が読み出したグラフィックが表すデフォルトシンボルをステップＳ１３５において決定した色により表示させるグラフィックに加工する（ステップＳ１４０）。例えば、デフォルトシンボルのグラフィックに埋め込まれているシンボルの色を表す情報を、決定した色を表す情報に書き換える。加工部３５３は、加工により生成したシンボルのグラフィックを画面生成部３４に出力する。画面生成部３４は、監視画面の画面データに、加工部３５３が生成したグラフィックを配置する。
【００３６】
図１０〜図１２を用いて、図９に示す処理を説明する。図１０〜図１２は、監視制御装置３におけるデジタル信号のグラフィック決定処理の具体例を示す図である。
ここでは、第一ポンプ（プラント機器１）の状況を表すシンボルのグラフィックを決定する場合を例に説明する。まず、信号情報Ｄ２に、第一ポンプが故障であることを表す信号ＩＤ「Ａ００１」の属性及び故障グレード「重故障」を登録する。さらに、グラフィック情報Ｄ３に、故障矢印を表すデフォルトのシンボルのグラフィックＣ１に対応付けて、信号ＩＤ「Ａ００１」及び条件「ＯＮ」を登録しておく。故障矢印を表すシンボルを故障矢印シンボルと記載し、故障矢印シンボルのデフォルトのシンボルを、故障矢印デフォルトシンボルと記載する。加えて、信号ＩＤ「Ａ００１」と対応付けて、故障発生なし（又は、信号がＯＦＦであること）を表すシンボルのグラフィックＣ２をグラフィック情報記憶部３１３に登録しておく。
【００３７】
図１０は、故障発生なしを表すグラフィックが決定される場合の例を示す。
デフォルトシンボル取得部３５１は、信号ＩＤ「Ａ００１」が割付けられている故障矢印デフォルトシンボルのグラフィックＣ１をグラフィック情報Ｄ３から取得する（図９：ステップＳ１０５）。機器状況取得部３５２は、グラフィック情報Ｄ３に登録されている信号ＩＤ「Ａ００１」の条件「ＯＮ」と、信号受信状況管理情報Ｄ１に設定されている信号ＩＤ「Ａ００１」の入力値「ＯＦＦ」とが一致しないと判断する（図９：ステップＳ１１０〜ステップＳ１２０：ＮＯ）。加工部３５３は、予め信号ＩＤ「Ａ００１」と対応付けて記憶している故障発生なし（又は、信号がＯＦＦであること）を表すシンボルのグラフィックＣ２をグラフィック情報記憶部３１３から読み出す（図９：ステップＳ１２５）。
【００３８】
図１１は、故障発生を表すグラフィックが決定される場合の例を示す。
デフォルトシンボル取得部３５１は、信号ＩＤ「Ａ００１」が割付けられている故障矢印デフォルトシンボルのグラフィックＣ１をグラフィック情報Ｄ３から取得する（図９：ステップＳ１０５）。機器状況取得部３５２は、グラフィック情報Ｄ３に登録されている信号ＩＤ「Ａ００１」の条件「ＯＮ」と、信号受信状況管理情報Ｄ１に設定されている信号ＩＤ「Ａ００１」の入力値「ＯＮ」とが一致すると判断する（図９：ステップＳ１１０〜ステップＳ１２０：ＹＥＳ）。加工部３５３は、シンボルの色を、信号情報Ｄ２に設定されている信号ＩＤ「Ａ００１」の故障グレード「重故障」に対応した「赤」に決定する（図９：ステップＳ１３０〜ステップＳ１３５）。加工部３５３は、グラフィックＣ１に設定されている故障矢印デフォルトシンボルの色の情報を赤の情報に書き換え、赤色の故障矢印シンボルを表示させるグラフィックＣ３を生成する（図９：ステップＳ１４０）。
【００３９】
図１２は、故障グレード変更時のグラフィック決定の例を示す。
第一ポンプの故障グレードが「重故障」から「軽故障」に変更された場合、信号情報Ｄ２に、第一ポンプが故障であることを表す信号ＩＤ「Ａ００１」に対応して信号情報Ｄ２に設定されている故障グレードを「軽故障」に書き換える。同図において、下線を付与した箇所は、書き換えられた情報であることを示す。
【００４０】
情報の書き換え後、第一ポンプに故障が発生していない場合のグラフィックの決定処理は、図１０に示す処理と同様である。一方、情報の書き換え後、第一ポンプに故障が発生した場合のグラフィックの決定処理は以下となる。
【００４１】
すなわち、デフォルトシンボル取得部３５１は、信号ＩＤ「Ａ００１」が割付けられているが割付けられている故障矢印デフォルトシンボルのグラフィックＣ１をグラフィック情報Ｄ３から取得する（図９：ステップＳ１０５）。機器状況取得部３５２は、グラフィック情報Ｄ３に登録されている信号ＩＤ「Ａ００１」の条件「ＯＮ」と、信号受信状況管理情報Ｄ１に設定されている信号ＩＤ「Ａ００１」の入力値「ＯＮ」とが一致すると判断する（図９：ステップＳ１１０〜ステップＳ１２０：ＹＥＳ）。ここまでの処理は、図１１に示す処理と同様である。
【００４２】
加工部３５３は、シンボルの色を、信号情報Ｄ２に設定されている信号ＩＤ「Ａ００１」の故障グレード「軽故障」に対応した「黄」に決定する（図９：ステップＳ１３０〜ステップＳ１３５）。加工部３５３は、グラフィックＣ１に設定されている故障矢印デフォルトシンボルの色の情報を黄の情報に書き換え、黄色の故障矢印シンボルを表示させるグラフィックＣ４を生成する（図９：ステップＳ１４０）。
【００４３】
上記のように、グラフィック情報Ｄ３に登録されているデフォルトシンボルのグラフィックへ信号ＩＤを割付ける。これにより、監視制御装置３は、割付けられた信号ＩＤの信号によって故障発生を検出した際には、信号情報Ｄ２に設定されているその信号の故障グレードに応じた色によりシンボルを表示する。信号の割付け後に故障グレードが変更された場合は、信号情報Ｄ２に設定されているその信号の故障グレードを変更するのみで、監視制御装置３は、シンボルを、変更後の故障グレードに応じた色により表示することができる。
【００４４】
図１３は、監視制御装置３におけるアナログ信号のグラフィック決定処理を示すフロー図である。
画面生成部３４は、監視画面の定義情報から取得したシンボルに対応付けられた信号ＩＤをグラフィック情報記憶部３１３から読出してシンボル決定部３５に出力する。デフォルトシンボル取得部３５１は、画面生成部３４から受信した信号ＩＤに対応したデフォルトシンボルのグラフィックをグラフィック情報記憶部３１３に記憶されているグラフィック情報Ｄ６から取得する（ステップＳ２０５）。
【００４５】
機器状況取得部３５２は、画面生成部３４から受信した信号ＩＤにより特定される信号によるコントローラ２からの入力値を、信号受信状況記憶部３１１に記憶されている信号受信状況管理情報Ｄ４から取得する（ステップＳ２１０）。
【００４６】
加工部３５３は、画面生成部３４から受信した信号ＩＤに対応した数値表示形式を信号情報Ｄ５から取得する（ステップＳ２１５）。加工部３５３は、ステップＳ２０５においてデフォルトシンボル取得部３５１が取得したデフォルトシンボルのグラフィックの数値表示形式を、ステップＳ２１５において取得した数値表示形式に変更する（ステップＳ２２０）。
【００４７】
加工部３５３は、信号情報Ｄ５に設定されているレンジと入力値の数値範囲との対応に基づいて、ステップＳ２１０において機器状況取得部３５２が取得した入力値を工学値に変換する。加工部３５３は、ステップＳ２２０において数値表示形式が変更されたシンボルのグラフィックを、変換により得られた工学値を表示させるシンボルのグラフィックに加工する（ステップＳ２２５）。加工部３５３は、加工により生成したシンボルのグラフィックを画面生成部３４に出力する。画面生成部３４は、監視画面の画面データに、加工部３５３が生成したグラフィックを配置する。
【００４８】
図１４及び図１５を用いて、図１３に示す処理を説明する。図１４及び図１５は、監視制御装置３におけるアナログ信号のグラフィック決定処理の具体例を示す図である。
ここでは、センサ（プラント機器１）により検出された水位を表示するシンボルのグラフィックを決定する場合を例に説明する。まず、信号情報Ｄ５に、センサが検出した水位を通知する信号の信号ＩＤ「Ｂ００１」と対応付けてレンジ「０〜９９９９」、小数点以下の桁数「１」及び単位「ｍｍ」、入力値の数値範囲「０〜８０００」を登録する。これにより、コントローラ２から受信した「０〜８０００」の値は、ｍｍを単位とした「０〜９９９９」の範囲の数値に変換することが設定される。さらに、グラフィック情報Ｄ６に、数値を表示させるデフォルトのシンボルのグラフィックＥ１と対応付けて、信号ＩＤ「Ｂ００１」を登録しておく。数値を表示させるシンボルをアナログ表示シンボルと記載し、デフォルトのアナログ表示シンボルを、アナログ表示デフォルトシンボルと記載する。
【００４９】
図１４は、水位を表示するグラフィックを決定する場合の例を示す。
デフォルトシンボル取得部３５１は、信号ＩＤ「Ｂ００１」に対応したアナログ表示デフォルトシンボルのグラフィックＥ１をグラフィック情報Ｄ６から取得する（図１３：ステップＳ２０５）。機器状況取得部３５２は、信号ＩＤ「Ｂ００１」に対応した入力値「４０００」を信号受信状況管理情報Ｄ４から取得する（図１３：ステップＳ２１０）。
【００５０】
加工部３５３は、信号ＩＤ「Ｂ００１」に対応した数値表示形式を信号情報Ｄ５から取得する（図１３：ステップＳ２１５）。加工部３５３は、アナログ表示デフォルトシンボルのグラフィックＥ１に含まれる数値表示形式の情報を、ステップＳ２１５において取得した数値表示形式が示すレンジの上限「９９９９」、小数点以下の桁数「１」、及び単位「ｍｍ」に変更したアナログ表示シンボルのグラフィックＥ２を生成する（図１３：ステップＳ２２０）。加工部３５３は、信号情報Ｄ５により示されるレンジ「０〜９９９９」と入力値の数値範囲「０〜８０００」との対応に基づいて、入力値「４０００」を工学値「４９９９．５」に変換する。加工部３５３は、グラフィックＥ２が示すアナログ表示シンボルに、変換により得られた工学値を表示させるグラフィックＥ３を生成する（図１３：ステップＳ２２５）。
【００５１】
図１５は、数値表示形式変更時のグラフィック決定の例を示す。
信号ＩＤ「Ｂ００１」の信号により通知された距離の表示を、ｍｍの単位の表示から、ｍの単位の表示に変更する。この場合、信号情報Ｄ５に信号ＩＤ「Ｂ００１」と対応付けて設定されている数値表示形式を、上限「０〜９．９９」、小数点以下の桁数「２」、及び単位「ｍ」に書き換える。同図において、下線を付与した箇所は、書き換えられた情報であることを示す。
【００５２】
デフォルトシンボル取得部３５１は、信号ＩＤ「Ｂ００１」に対応したアナログ表示デフォルトシンボルのグラフィックＥ１をグラフィック情報Ｄ６から取得する（図１３：ステップＳ２０５）。機器状況取得部３５２は、信号ＩＤ「Ｂ００１」に対応した入力値「４０００」を信号受信状況管理情報Ｄ４から取得する（図１３：ステップＳ２１０）。
【００５３】
加工部３５３は、信号ＩＤ「Ｂ００１」に対応した数値表示形式を信号情報Ｄ５から取得する（図１３：ステップＳ２１５）。加工部３５３は、アナログ表示デフォルトシンボルのグラフィックＥ１に含まれる数値表示形式の情報を、ステップＳ２１５において取得した数値表示形式が示すレンジの上限「９．９９」、小数点以下の桁数「２」、及び単位「ｍ」に変更したアナログ表示シンボルのグラフィックＥ４を生成する（図１３：ステップＳ２２０）。加工部３５３は、信号情報Ｄ５により示されるレンジ「０〜９．９９」と入力値の数値範囲「０〜８０００」との対応に基づいて、入力値「４０００」を工学値「４．９９」に変換する。加工部３５３は、グラフィックＥ４が示すアナログ表示シンボルに、変換により得られた工学値を表示させるグラフィックＥ５を生成する（図１３：ステップＳ２２５）。
【００５４】
上記のように、グラフィック情報Ｄ６に登録されているデフォルトシンボルのグラフィックへ信号ＩＤを割付け、その信号ＩＤに対応付けて信号情報Ｄ５に数値の数値表示形式を設定する。監視制御装置３は、信号ＩＤに割付けられたデフォルトシンボルのグラフィックの数値表示形式を、信号情報Ｄ５に設定されているその信号ＩＤに応じた数値表示形式に変更し、その信号ＩＤの信号に基づいて得られる値を変更後の数値表示形式により表示するシンボルのグラフィックを生成する。信号の割付け後に数値の数値表示形式が変更された場合は、信号情報Ｄ５に設定されているその信号の数値表示形式を変更する。これにより、監視制御装置３は、変更後の数値表示形式により値を表示するシンボルを生成することができる。
【００５５】
本実施形態によれば、デフォルトのシンボルのグラフィックに信号を割り付け、その信号の信号情報に、表示形式情報を設定することにより、監視制御装置３は、新たなプラント機器１の状況を表すシンボルを監視画面に追加して表示することができる。また、監視画面に表示させるシンボルを変更する場合、信号情報に設定されている表示形式情報を変更することにより、監視制御装置３はシンボルを変更して表示することができる。従って、エンジニアリング時にシンボルを意識しなくてよくなるため、エンジニアリング効率が向上する。また、信号の割付ミスによる信号情報とシンボルのアンマッチの発生が低減し、品質が向上する。更には、オペレータがオンライン状態で信号情報を変更した場合でも、シンボルを変更して表示することができる。
【００５６】
以上説明した少なくともひとつの実施形態によれば、グラフィック情報記憶部、信号情報記憶部、及び、シンボル決定部を有することにより、プラントを構成する機器の状況を表すシンボルの利用を容易に設定することができる。すなわち、グラフィック情報記憶部に記憶されるグラフィック情報に対し、使用するデフォルトのシンボルの画像（デフォルト画像）に信号を割付ける設定を行う。また、信号情報記憶部に記憶される信号情報に対し、各信号の表示形式情報を設定する。監視制御装置は、デジタル信号が示す機器の状況から故障を判断した場合、その信号が割付けられているデフォルトのシンボルの画像を、信号情報に設定されているその信号の表示形式情報が示す故障グレードに応じた表示形式で表示することを決定する。また、監視制御装置は、アナログ信号の信号識別情報に対応したデフォルトのシンボルの画像により、その信号から取得した機器の状況を表す数値を、その信号に対応した表示形式情報が示す数値の表示形式で表示することを決定する。従って、各信号から得られるプラント機器それぞれの状況に応じてシンボルの画像データを割当てておく必要がない。また、一旦デフォルトのシンボルの画像データに信号を割付けた後、表示を変更させたい場合には、オンラインでも設定可能な信号情報の表示形式情報を変更するのみでよい。
【００５７】
上述した実施形態における監視制御装置３の記憶部３１、信号受信部３２、画面生成部３４、及び、シンボル決定部３５の一部または全ての機能をコンピュータで実現するようにしてもよい。その場合、監視制御装置３の機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１…プラント機器、２…コントローラ、３…監視制御装置、１０…監視制御システム、３１…記憶部、３２…信号受信部、３３…入力部、３４…画面生成部、３５…シンボル決定部、３６…表示部、３１１…信号受信状況記憶部、３１２…信号情報記憶部、３１３…グラフィック情報記憶部、３５１…デフォルトシンボル取得部、３５２…機器状況取得部、３５３…加工部
【図１】
2017045414.tif 000003
【図２】
2017045414.tif 000004
【図３】
2017045414.tif 000005
【図４】
2017045414.tif 000006
【図５】
2017045414.tif 000007
【図６】
2017045414.tif 000008
【図７】
2017045414.tif 000009
【図８】
2017045414.tif 000010
【図９】
2017045414.tif 000011
【図１０】
2017045414.tif 000012
【図１１】
2017045414.tif 000013
【図１２】
2017045414.tif 000014
【図１３】
2017045414.tif 000015
【図１４】
2017045414.tif 000016
【図１５】
2017045414.tif 000017